(57)【要約】【課題】液晶表示パネルを用いた表示部を、二軸ヒンジ機構を介して回動可能に支持した撮像装置において、音声認識が必要となる場面で適切に音声認識制御を開始できる撮像装置を提供すること。【解決手段】撮像部を有する本体と、本体に対して少なくとも２つ以上の回転軸を有するヒンジ機構部と、表示面が本体に対し、ヒンジ機構部を介して回転可能に支持された表示部と、使用者の音声を電気信号に変換する音声入力手段と、音声入力手段に入力された音声の内容を認識する音声認識手段と、音声認識手段によって認識された音声の内容に合わせて撮像装置のパラメータを制御する制御部を有する撮像装置において、ヒンジ機構部は、撮像面に対する表示面の傾きを検知して傾き検知信号を制御部へ送信する角度検知手段を有し、制御部は、角度検知手段の傾き検知信号に基づいて音声認識手段の制御を行うことを特徴とする。【選択図】図１
2016058982.tif 000002
【特許請求の範囲】
【請求項１】
撮像部を有する本体（１）と、前記本体（１）に対して少なくとも２つ以上の回転軸を有するヒンジ機構部（３）と、表示面が前記本体（１）に対し、前記ヒンジ機構部（３）を介して回転可能に支持された表示部（２）と、使用者の音声を電気信号に変換する音声入力手段（１０）と、前記音声入力手段（１０）に入力された音声の内容を認識する音声認識手段（１１）と、前記音声認識手段（１１）によって認識された音声の内容に合わせて撮像装置のパラメータを制御する制御部（１００）を有する撮像装置において、
前記ヒンジ機構部（３）は、撮像面に対する表示面の傾きを検知して傾き検知信号を前記制御部（１００）へ送信する角度検知手段（３ｄ）を有し、
前記制御部（１００）は、前記角度検知手段（３ｄ）の傾き検知信号に基づいて前記音声認識手段（１１）の制御を行うことを特徴とする撮像装置。
【請求項２】
前記角度検知手段（３ｄ）の傾き検知信号が入力されている場合には、前記制御部（１００）は前記音声認識手段（１１）に対し、音声認識を実行させ、前記角度検知手段（３ｄ）の傾き検知信号が入力されていない場合には、前記制御部（１００）は前記音声認識手段（１１）に対し、音声認識を停止させる制御を行うことを特徴とする請求項１に記載の撮像装置。
【請求項３】
前記角度検知手段（３ｄ）は少なくとも２つ以上の角度を検知することを特徴とする請求項１または２に記載の撮像装置。
【請求項４】
被写体までの距離を測距する測距手段（３１）を有し、前記角度検知手段（３ｄ）の傾き検知信号が入力されている場合に、前記制御部（１００）は前記測距手段（３１）の距離に応じて前記音声認識手段（１１）を制御する請求項１乃至３の何れか１項に記載の撮像装置。
【請求項５】
時間を計測する計時手段（１０９）を有し、前記計時手段（１０９）によって前記角度検知手段（３ｄ）の傾き検知信号が入力された時刻からある一定の時間を計測した場合に、前記制御部（１００）が前記音声認識手段（１１）を制御する請求項１乃至４の何れか１項に記載の撮像装置。
【請求項６】
前記本体（１）は少なくとも１つの操作部（５０５）を有し、前記音声認識手段（１１）が音声認識を実行している間は、前記制御部（１００）は、前記操作部（５０５）による制御を実行しないことを特徴とする請求項１乃至５の何れか１項に記載の撮像装置。
【発明の詳細な説明】
【技術分野】
【０００１】
本発明は、装置本体に対し回動可能に設けられた表示部を有する撮像装置に関し、特に表示部の角度に応じて音声認識制御を行う撮像装置に関する。
【背景技術】
【０００２】
従来、デジタルカメラ等の撮像装置において、液晶表示パネルを用いた表示部を、二軸ヒンジ機構を介して撮像装置本体に回動可能に支持する構成が種々知られている。特許文献１では、二軸ヒンジ機構内に設置された角度検知手段と、撮像装置本体の姿勢検知手段、撮像装置またはレンズの接触検知手段によって、表示手段の入力手段を制御する方法が開示されている。
【０００３】
このような構成によって、撮影者自身が被写体となる場合や、撮影者の目線より高い位置での撮影、目線より低い位置での撮影等の場合でも、表示部を任意の角度に調整することで、液晶表示パネルに表示された画像を確認しながらの撮影が可能となる。一方、特許文献２では、携帯電話装置を操作するための操作部が開かれた状態であることを検知すると音声認識を起動し、特定の電話番号へ発信するといった音声認識の制御方法が開示されている。
【先行技術文献】
【特許文献】
【０００４】
【特許文献１】特開２０１３−２５１７８２号公報
【特許文献２】特開２０００−２４４６３５号公報
【発明の概要】
【発明が解決しようとする課題】
【０００５】
しかしながら、特許文献１に開示された構成では、撮影装置をしっかりと保持した状態で操作しやすいよう、シャッタ秒時や絞り値などの撮影条件を変更する操作ボタンを撮影装置の背面側に設置される場合が多い。このため、撮影者自身が被写体となる場合や、撮影者の目線に対し高低差のある位置での撮影の場合は、撮影条件を変更する際に、一旦撮像装置本体を撮影者の目線に合わせた上で操作する必要があり、シャッタタイミングを逃してしまう可能性があった。
【０００６】
一方、特許文献２に開示された従来技術を撮像装置に応用した場合は、表示部が開いた状態では常に音声認識を行うことになる。そのため、表示部を開いて液晶表示パネルを撮影者側に向けている場合にも音声操作が開始される。この時、撮影者がファインダを覗いていても、周囲の音声によって撮影者自身が意図しない操作が実行されてしまうなど、音声認識を必要としない場合にも音声認識が開始されてしまう可能性があった。
本発明の目的は、液晶表示パネルを用いた表示部を、二軸ヒンジ機構を介して回動可能に支持した撮像装置において、音声認識が必要となる場面で適切に音声認識制御を開始することが可能となる撮像装置を提供することにある。
【課題を解決するための手段】
【０００７】
上記の目的を達成するために、本発明の撮像装置は、
撮像部を有する本体と、
前記本体に対して少なくとも２つ以上の回転軸を有するヒンジ機構部と、
表示面が前記本体に対し、前記ヒンジ機構部を介して回転可能に支持された表示部と、
使用者の音声を電気信号に変換する音声入力手段と、
前記音声入力手段に入力された音声の内容を認識する音声認識手段と、
前記音声認識手段によって認識された音声の内容に合わせて撮像装置のパラメータを制御する制御部を有する撮像装置において、
前記ヒンジ機構部は、撮像面に対する表示面の傾きを検知して傾き検知信号を前記制御部へ送信する角度検知手段を有し、
前記制御部は、前記角度検知手段の傾き検知信号に基づいて前記音声認識手段の制御を行うことを特徴とする。
【発明の効果】
【０００８】
本発明によれば、液晶表示パネルを用いた表示部を、二軸ヒンジ機構を介して回動可能に支持した撮像装置において、音声認識が必要となる場面で適切に音声認識制御を開始することが可能となる。
【図面の簡単な説明】
【０００９】
【図１】本発明の実施形態の一例であるデジタル一眼レフカメラを被写体側および撮影者側から見た図である
【図２】本発明の実施形態の一例であるデジタル一眼レフカメラの主要な電気的構成を示すブロック図である。
【図３】本発明の実施形態の一例であるデジタル一眼レフカメラの二軸ヒンジ機構の内部を示す図である。
【図４】本発明の実施形態の一例であるデジタル一眼レフカメラの表示部が回動する範囲におけるスイッチの信号状態を示した表である。
【図５】本発明の実施形態の一例であるデジタル一眼レフカメラの表示部を回動させた時の信号処理の流れの概略を示したフローチャートである。
【発明を実施するための形態】
【００１０】
以下に、本発明の好ましい実施の形態を、添付の図面に基づいて詳細に説明する。
【００１１】
［実施例１］
以下、本発明の第１の実施例について図面を参照しながら説明する。図１（Ａ）は本発明の実施形態の一例であるデジタル一眼レフカメラを被写体側から見た斜視図であり、図１（Ｂ）から図１（Ｆ）までは本発明の実施形態の一例であるデジタル一眼レフカメラを撮影者側から見た斜視図である。
【００１２】
図１に示すように、カメラ本体１は撮影者側の側面（以下、背面と称する）に、撮影した画像や撮影条件などを表示可能なカラー液晶モニタ部２や、カラー液晶モニタ部２をカメラ本体１に対してＸおよびＹ軸に回動可能に支持する二軸ヒンジ機構３を備えている。
【００１３】
また、カメラ本体１の背面には、シャッタ秒時や絞り値などの撮影条件を変更するための操作ボタン５０５や、変更した撮影条件を確定するためのＳＥＴボタン５０６も配されている。ここで、カラー液晶モニタ部２は本発明の表示部、二軸ヒンジ機構３は本発明のヒンジ機構部、操作ボタン５０５は本発明の操作部にそれぞれ相当する。また、カメラ本体１は上面に、周囲の音を電気信号に変換するマイク１０を備えている。ここでマイク１０は本発明の音声入力手段に相当する。
【００１４】
図２は、本発明の実施形態の一例であるデジタル一眼レフカメラの主要な電気的構成を示すブロック図である。
【００１５】
カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、後述する時刻計測回路１０９の計時情報やその他の情報を記憶することができる。ここで、ＭＰＵ１００は本発明の制御部、時刻計測回路１０９は本発明の計時手段に相当する。
【００１６】
ＭＰＵ１００には、音声認識回路１１、ミラー駆動回路１０１、焦点検出回路１０２、シャッタ駆動回路１０３、映像信号処理回路１０４、スイッチセンス回路１０５、測光回路１０６、ストロボ駆動回路１１３が接続されている。音声認識回路１１により、マイク１０によって電気振動に変換された音声信号の解析制御および認識制御が実行される。ここで、音声認識回路１１は本発明の音声認識手段に相当する。ストロボ駆動回路１１３は、ストロボユニット５０４の動作を制御する。さらにＭＰＵ１００には、液晶表示駆動回路１０７、バッテリーチェック回路１０８、時刻計測回路１０９、電力供給回路１１０、圧電素子駆動回路１１１が接続されている。これらの回路は、ＭＰＵ１００の制御により動作するものである。
【００１７】
ＭＰＵ１００は、撮影レンズユニット２００ａ内のレンズ制御回路２０１とマウント接点５０７を介して通信を行う。マウント接点５０７は、撮影レンズユニット２００ａが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。なお、図２では便宜上１枚の撮影レンズ２００のみを図示しているが、実際は多数のレンズ群によって構成される。
【００１８】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００１９】
メインミラー５１２は、図２に示す撮影光軸５０に対して４５°の角度に保持された状態で、撮影レンズ２００を通過する撮影光束をペンタダハミラー２２へ導くと共に、その一部を透過させてサブミラー３０へ導く。サブミラー３０は、メインミラー５１２を透過した撮影光束を焦点検出センサユニット３１へ導く。
【００２０】
ミラー駆動回路１０１は、例えばＤＣモータとギヤトレイン等によって構成され、メインミラー５１２を、ファインダ１８により被写体像を観察可能とする位置と、撮影光束から待避する位置とに駆動する。メインミラー５１２が駆動すると、同時にサブミラー３０も、焦点検出センサユニット３１へ撮影光束を導く位置と、撮影光束から待避する位置とに移動する。
【００２１】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。ここで、焦点検出センサユニット３１は本発明の測距手段に相当する。
【００２２】
ペンタダハミラー２２は、メインミラー５１２により反射された撮影光束を正立正像に変換反射する。撮影者はファインダ光学系を介してファインダ１８から被写体像を観察することができる。ペンタダハミラー２２は、撮影光束の一部を測光センサ４６へも導く。測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００２３】
シャッタユニット（機械フォーカルプレーンシャッタ）３２は、撮影者がファインダ７により被写体像を観察している時には、シャッタ先幕が遮光位置にあると共に、シャッタ後幕が露光位置にある。次いで、撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。機械フォーカルプレーンシャッタ３２は、ＭＰＵ１００の指令を受けたシャッタ駆動回路１０３により制御される。
【００２４】
撮像ユニット４００は、主に光学ローパスフィルタ４１０、圧電部材である圧電素子４３０、撮像素子３３がユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮整像デバイスを採用してもよい。撮像素子３３の前方に配置された光学ローパスフィルタ４１０は、水晶からなる１枚の複屈折板であり、その形状は矩形状である。圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００２５】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００２６】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ部２に表示される。また、映像信号処理回路１０４は、ＭＰＵ１００の指示に従って、メモリコントローラ３８を通じてバッファメモリ３７に画像データを保存することもできる。
【００２７】
さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００２８】
メモリコントローラ３８は、外部インタフェース４０から入力される画像データを外部メモリ３９に記憶し、外部メモリ３９に記憶されている画像データを外部インタフェース４０から出力する機能を有する。外部メモリ３９としては、カメラ本体１に着脱可能なフラッシュメモリ等が用いられる。
【００２９】
スイッチセンス回路１０５は、各スイッチの操作状態に応じて入力信号をＭＰＵ１００に送信する。スイッチＳＷ１（５１０ａ）は、レリーズボタン５１０の第１ストローク（半押し）によりＯＮする。スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。さらに、スイッチセンス回路１０５には、開き検出回路３ｃ、傾き検出回路３ｄ、電源ＳＷ５０１、撮影モード設定ダイヤル５０２、メインダイヤル５０３、各種操作ボタン５０５、ＳＥＴボタン５０６も接続されている。ここで、傾き検出回路３ｄは本発明の角度検知手段に相当する。液晶表示駆動回路１０７は、ＭＰＵ１００の指示に従って、ファインダ内液晶表示４１を駆動する。
【００３０】
バッテリーチェック回路１０８は、ＭＰＵ１００の指示に従って、バッテリーチェックを行い、その検出結果をＭＰＵ１００に送信する。電源４２は、カメラの各要素に対して電源を供給する。
【００３１】
時刻計測回路１０９は、電源ＳＷ５０１がＯＦＦされて次にＯＮされるまでの時間や日付を計測し、ＭＰＵ１００からの指示に従って、計測結果をＭＰＵ１００に送信する。
図３は、本発明の実施形態の一例であるデジタル一眼レフカメラの二軸ヒンジ機構の内部を示す斜視図である。なお、図３は矢印Ｑ（図１（Ｂ））の方向から見た図を示している。
【００３２】
図３に示すように、二軸ヒンジ機構３はヒンジ筐体３ａに覆われており、内部にはヒンジメカ機構３ｂと、開き検出回路３ｃ、傾き検出回路３ｄを有している。開き検出回路３ｃは、Ｙ軸（図１）に対するカラー液晶モニタ部２の角度を検出し、信号を制御部１００へ送信する。傾き検出回路３ｄは、Ｘ軸（図１）に対するカラー液晶モニタ部２の角度を検出し、信号を制御部１００へ送信する。
【００３３】
前述した図１に示すように、二軸ヒンジ機構３は、ヒンジメカ機構３ｂにより、Ｙ軸を中心に回動することが可能である。回動範囲は、カラー液晶モニタ部２がカメラ本体１に収納されている開き角度０°の状態（図１（Ｂ））から、カラー液晶モニタ部２がカメラ本体１から開いている開き角度約１８０°の状態（図１（Ｃ））までである。以後、開き角度０°の状態を「閉じ状態」、開き角度約１８０°の状態を「開き状態」と称することとする。
【００３４】
また、二軸ヒンジ機構３は、ヒンジメカ機構３ｂにより、Ｘ軸を中心に回動することも可能である。回動範囲は、図１（Ｃ）のように、カラー液晶モニタ部２が被写体側に向いている回転角度０°の状態から、図１（Ｆ）のように、カラー液晶モニタ部２が真下を向いている回転角度２７０°の状態までである。この途中、図１（Ｄ）のように、真上を向いている回転角度９０°の状態や、図１（Ｅ）のように、撮影者側を向いている回転角度１８０°の状態にすることも可能である。以後、回転角度０°の状態を「状態Ｉ」、回転角度９０°の状態を「状態II」、回転角度１８０°の状態を「状態III」、回転角度２７０°の状態を「状態IV」とそれぞれ称することとする。
【００３５】
図４は、本発明の実施形態の一例であるデジタル一眼レフカメラの表示部が回動する範囲でのスイッチの信号状態を示した表である。
【００３６】
開き検出回路３ｃは、ＯＮとＯＦＦの２つの検知位置をもつ開き検出スイッチ３ｃ−１を有している。カラー液晶モニタ部２が「開き状態」近傍まで回動すると、ヒンジメカ機構３ｂの開き検知凸部３ｂ−１が、開き検出スイッチ３ｃ−１に当たる。このとき、図４（Ａ）に示すように、開き検出スイッチ３ｃ−１がＯＦＦからＯＮになる。これにより開き検出回路３ｃは、カラー液晶モニタ部２が「開き状態」になったことを検知し、信号を制御部１００へ送信する。なお、本実施例では、「開き状態」を開き角度約１８０°としたが、角度の数値はこの限りではなく、実施形態によって数値を変更してもよい。
【００３７】
傾き検出回路３ｄは、ＯＮ１とＯＮ２、ＯＮ３とＯＦＦの４つの検知位置をもつ傾き検出スイッチ３ｄ−１を有している。カラー液晶モニタ部２が被写体側に向いた「状態Ｉ」の場合は、ヒンジメカ機構３ｂの回転検知凸部３ｂ−２が、傾き検出スイッチ３ｄ−１に当たる。このとき、図４（Ｂ）に示すように、開き検出スイッチ３ｄ−１がＯＮ１になる。これにより傾き検出回路３ｄは、カラー液晶モニタ部２が「状態Ｉ」の角度になったことを検知し、信号を制御部１００へ送信する。なお、本実施例では、「状態Ｉ」を回転角度０°としたが、被写体からカラー液晶モニタ部２を視認しやすいと考えられる角度に合わせて角度の数値を変更してもよい。
【００３８】
カラー液晶モニタ部２が真上を向いた「状態II」まで回動した場合は、ヒンジメカ機構３ｂの回転検知凸部３ｂ−２が、傾き検出スイッチ３ｄ−１に当たる。このとき、前述の図４（Ｂ）に示すように、開き検出スイッチ３ｄ−１がＯＮ２になる。これにより傾き検出回路３ｄは、カラー液晶モニタ部２が「状態II」の角度になったことを検知し、信号を制御部１００へ送信する。なお、本実施例では、「状態II」を回転角度９０°としたが、撮影者がカメラ本体１よりも上方からカラー液晶モニタ部２を視認する角度に合わせて角度の数値を変更してもよい。
【００３９】
図４（Ｂ）に示すように、カラー液晶モニタ部２が撮影者側に向いた「状態III」の場合は、開き検出スイッチ３ｄ−１はＯＦＦとなる。
【００４０】
カラー液晶モニタ部２が真下を向いた「状態IV」まで回動した場合は、ヒンジメカ機構３ｂの回転検知凸部３ｂ−２が、傾き検出スイッチ３ｄ−１に当たる。このとき、前述の図４（Ｂ）に示すように、開き検出スイッチ３ｄ−１がＯＮ３となる。これにより傾き検出回路３ｄは、カラー液晶モニタ部２が「状態IV」の角度になったことを検知し、信号を制御部１００へ送信する。なお、本実施例では、「状態IV」を回転角度２７０°としたが、撮影者がカメラ本体１よりも下方からカラー液晶モニタ部２を視認する角度に合わせて角度の数値を変更してもよい。
【００４１】
図５は、本発明の実施形態の一例であるデジタル一眼レフカメラのカラー液晶モニタ部２を回動させた時の信号処理の流れの概略を示したフローチャートである。
まずステップ７０１で、開き検出回路３ｃがＯＮになっているかを判断する。開き検出回路３ｃがＯＦＦの場合は、ステップ７０１を繰り返す。開き検出回路３ｃがＯＮの場合は、ステップ７０２に進み、傾き検出回路３ｄがＯＮ１になっているかを判断する。傾き検出回路３ｄがＯＮ１の場合は、時刻計測回路１０９によって傾き検出回路３ｄがＯＮ１になってからの時間を計測する（ステップ７０５）。
【００４２】
傾き検出回路３ｄがＯＮ１でない場合は、ステップ７０３に進み、傾き検出回路３ｄがＯＮ２になっているかを判断する。傾き検出回路３ｄがＯＮ２の場合は、傾き検出回路３ｄがＯＮ２になってからの時間を計測する（ステップ７０６）。傾き検出回路３ｄがＯＮ２でない場合は、ステップ７０４に進み、傾き検出回路３ｄがＯＮ３になっているかを判断する。傾き検出回路３ｄがＯＮ３の場合は、傾き検出回路３ｄがＯＮ３になってからの時間を計測する（ステップ７０７）。傾き検出回路３ｄがＯＮ３でない場合はステップ７０１に戻る。
【００４３】
ステップ７０８で傾き検出回路３ｄがＯＮ１になってから１００ミリ秒以上の時間が経過した場合、ステップ７１１に進み、再度傾き検出回路３ｄがＯＮ１になっているかを判断する。ここで、一定以上の時間を経過させるのは、撮影者がカラー液晶モニタ部２を回動させている最中に、不用意に音声認識制御が開始してしまうことを回避するためである。
【００４４】
ステップ７０８と同様に、ステップ７０９で傾き検出回路３ｄがＯＮ２になってから１００ミリ秒以上の時間が経過した場合、ステップ７１２に進み、再度傾き検出回路３ｄがＯＮ２になっているかを判断する。
【００４５】
ステップ７０８やステップ７０９と同様に、ステップ７１０で傾き検出回路３ｄがＯＮ３になってから１００ミリ秒以上の時間が経過した場合、ステップ７１３に進み、再度傾き検出回路３ｄがＯＮ３になっているかを判断する。
【００４６】
ステップ７１１で傾き検出回路３ｄがＯＮ１であれば、ステップ７１４で焦点検出センサユニット３１によるＡＦ動作を開始し、主被写体までの距離を計測する。ここで、カラー液晶モニタ部２が被写体側に向いていることから、撮影者自身が主被写体である可能性が高いことが分かる。その後、ステップ７１５で主被写体までの距離が９００ｍｍ未満か否かを判断する。主被写体までの距離が９００ｍｍ未満の場合はステップ７１６に進む。主被写体までの距離が９００ｍｍ以上の場合は、処理を終了する。
【００４７】
なお、距離の閾値である９００ｍｍは、おおよそ人間の肩から手までの長さに対応させた値を設定している。よって、主被写体までの距離が９００ｍｍ未満の場合は、主被写体がカメラ本体１を手に持って撮影している可能性が高いことを示している。つまり、このステップ７１５によって、撮影者がカメラ本体１を保持しながら、自分自身を撮影している可能性が高いことが分かる。
【００４８】
ステップ７１６では、マイク１０によって電気信号に変換された音声信号に対し、ＭＰＵ１００で音声内容の解析を行い、音声認識制御を開始する。これにより、操作ボタン５０５が撮影装置の背面側に設置されていても、シャッタ秒時や絞り値などの撮影条件を音声によって変更することが可能となる。
【００４９】
ステップ７１１からステップ７１６によって、撮影者自身が被写体となっている場合でも、カメラ本体１の背面側の操作ボタン５０５を見ながら操作する必要がなくなり、シャッタタイミングを逃しにくくなる。
【００５０】
ステップ７１２では、傾き検出回路３ｄがＯＮ２か否かを判断する。傾き検出回路３ｄがＯＮ２であれば、ステップ７１６に進み、音声認識制御を開始する。ステップ７１２で傾き検出回路３ｄがＯＮ２でない場合は、処理を終了する。ここで、傾き検出回路３ｄがＯＮ２であれば、カラー液晶モニタ部２が真上を向いているため、撮影者がカメラ本体１よりも上方から撮影していることが分かる。つまり、撮影者の目線より低い位置に主被写体がある場合でも、カメラ本体１の背面側の操作ボタン５０５を見ながら操作する必要がなくなり、シャッタタイミングを逃しにくくなる。
【００５１】
ステップ７１３では、傾き検出回路３ｄがＯＮ３か否かを判断する。傾き検出回路３ｄがＯＮ３であれば、ステップ７１６に進み、音声認識制御を開始する。ステップ７１３で傾き検出回路３ｄがＯＮ３でない場合は、処理を終了する。ここで、傾き検出回路３ｄがＯＮ３であれば、カラー液晶モニタ部２が真下を向いているため、撮影者がカメラ本体１よりも下方から撮影していることが分かる。つまり、撮影者の目線より高い位置に主被写体がある場合でも、カメラ本体１の背面側の操作ボタン５０５を見ながら操作する必要がなくなり、シャッタタイミングを逃しにくくなる。
【００５２】
ステップ７１６で音声認識制御を開始した場合は、ＳＥＴボタン５０６以外の操作ボタン５０５の操作信号を無効化する（ステップ７１７）。ここでＳＥＴボタン５０６のみ操作を有効にしているのは、撮影者が音声認識制御を実行させたくない場合に、ＳＥＴボタン５０６で音声認識制御の中止をさせるためである。また、操作ボタン５０５の操作信号を無効化するのは、撮影者が、カメラ本体１を保持している間に、意図せず操作ボタン５０５を押下した場合に撮影条件が変わってしまうことを回避するためである。
【００５３】
その後ステップ７１８で、ＳＥＴボタン５０６がＯＮになったかを判断する。ＳＥＴボタン５０６がＯＮの場合は、ステップ７２１で音声認識制御を終了する。ＳＥＴボタン５０６がＯＦＦの場合は、ステップ７１９で「中止」に関連する音声が入力されたかを判断する。「中止」に関連する音声とは、「キャンセル」「停止」などの意味を持つ音声である。「中止」に関連する音声が入力された場合は、ステップ７２１で音声認識制御を終了する。「中止」に関連する音声が入力されていない場合は、ステップ７２０で傾き検出回路３ｄがＯＦＦになったかを判断する。
【００５４】
傾き検出回路３ｄがＯＦＦの場合は、ステップ７２１で音声認識制御を終了する。傾き検出回路３ｄがＯＦＦではない場合は、ステップ７１８に戻る。ステップ７１８からステップ７２０により、ＳＥＴボタン５０６での操作以外に、撮影者が「中止」などの音声を発した場合や、カラー液晶モニタ部２が回動された場合にも音声認識制御を中止させることが可能となる。
【００５５】
ステップ７２１で音声認識制御を終了した場合は、ステップ７２２でＳＥＴボタン５０６以外の操作ボタン５０５の操作信号を有効化し、処理を終了する。
以上説明したように、本実施形態では、液晶表示パネルを用いた表示部を、二軸ヒンジ機構を介して回動可能に支持した撮像装置において、音声認識が必要となる場面で適切に音声認識制御を開始することが可能となる。
【００５６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５７】
１  カメラ本体、２  カラー液晶モニタ部、３  二軸ヒンジ機構、３ｃ  開き検出回路、
３ｄ  傾き検出回路、１０  マイク、１１  音声認識回路、
３１  焦点検出センサユニット、１００  ＭＰＵ、１０９  時刻計測回路、
５０５  操作ボタン
【図１】
2016058982.tif 000003
【図２】
2016058982.tif 000004
【図３】
2016058982.tif 000005
【図４】
2016058982.tif 000006
【図５】
2016058982.tif 000007